(57)【要約】【課題】機体転倒時における作業者の安全を確保すべく座席の後方に立設される門型状のロールバーを起立または倒伏させる際の作業性を向上させる。【解決手段】門型状のロールバー１１の基部１１ａ，１１ａを機体側のホルダ１２Ｌ，１２Ｒに装着した状態で、このロールバー１１を倒伏自在に支持する回動支点Ｐを設けると共に、機体側のホルダ１２Ｌ，１２Ｒにロールバー１１を起立させた際に、該ロールバー１１を起立させた作用姿勢に自動的に固定するロック手段３１を、ロールバー１１の基部１１ａ，１１ａに固設した係止部材３２と、機体側のホルダ１２Ｌ，１２Ｒに支持して前記係止部材３２に係脱自在な係止具３３とで構成した。【選択図】図５
2008189117.tif 000002
【特許請求の範囲】
【請求項１】
門型状のロールバー（１１）を起立させた作用姿勢と機体後方側へ倒した倒伏姿勢に変更自在になした作業車両の安全フレームにおいて、前記ロールバー（１１）の基部（１１ａ，１１ａ）を機体側のホルダ（１２Ｌ，１２Ｒ）に装着した状態で、当該ロールバー（１１）を倒伏自在に支持する回動支点（Ｐ）を設けると共に、機体側のホルダ（１２Ｌ，１２Ｒ）にロールバー（１１）を起立させた際に、該ロールバー（１１）を係止して作用姿勢に固定するロック手段（３１）を設けたことを特徴とする作業車両の安全フレーム。
【請求項２】
前記ロールバー（１１）を起立させて作用姿勢にする際に、ロック手段（３１）の係止具（３３）が自動的にロールバー（１１）の係止部材（３２）を係止するように構成したことを特徴とする請求項１に記載の作業車両の安全フレーム。
【発明の詳細な説明】
【技術分野】
【０００１】
本発明は、作業車両に設ける安全フレームに関する。
【背景技術】
【０００２】
従来、農業用トラクタ等の作業車両においては、機体転倒時における作業者の安全を確保するために座席の後方にアーチ（門型）状のロールバーを立設している。また、果樹園内の作業や車庫へ機体を格納する際、前記ロールバーが果樹や天井にぶつかることを防止すべく、当該ロールバーを機体後方側へ回動（倒伏）できるように構成したものが知られている（例えば特許文献１参照）。
【特許文献１】特開２００４−１０６８０４号公報（第４−５頁、図２−図６）
【発明の開示】
【発明が解決しようとする課題】
【０００３】
そして、上述したロールバーを構成する左右の支柱の下部は、座席の後方に設けたブラケットに支点ピンを介して機体後方側へ倒伏自在に支持されると共に、前記支柱の下部とブラケットに抜き差し可能に装着される固定ピンの抜き差しによって、当該ロールバーを起立姿勢から倒伏させた格納姿勢まで段階的に切換えることができるようになっている。
しかし、このものでは、ロールバーの姿勢を変更する度に固定ピンを抜き取らなければ
ならず、また、しかる後にロールバーを所望の姿勢に固定する際は、前記支柱の下部とブラケットに穿設したピン孔同士を位置合わせしながら、両ピン孔に固定ピンを差し込まなければならないので作業性が悪かった。
【課題を解決するための手段】
【０００４】
本発明は、上記課題を解決することを目的としたものであって、門型状のロールバーを起立させた作用姿勢と機体後方側へ倒した倒伏姿勢に変更自在になした作業車両の安全フレームにおいて、前記ロールバーの基部を機体側のホルダに装着した状態で、当該ロールバーを倒伏自在に支持する回動支点を設けると共に、機体側のホルダにロールバーを起立させた際に、該ロールバーを係止して作用姿勢に固定するロック手段を設けたことを第１の特徴としている。
そして、前記ロールバーを起立させて作用姿勢にする際に、ロック手段の係止具が自動的にロールバーの係止部材を係止するように構成したことを第２の特徴としている。
【発明の効果】
【０００５】
請求項１の発明によれば、ロールバーの基部を機体側のホルダに装着した状態で、当該ロールバーを倒伏自在に支持する回動支点を設けると共に、機体側のホルダにロールバーを起立させた際に、該ロールバーを係止して作用姿勢に固定するロック手段を設けたこと
によって、従来のようにロールバーを倒伏（格納）姿勢から起立作用姿勢に変更する度に、その固定ピンを抜き差しするといった手間の掛かる作業が不要となり作業性が向上する。
そして、請求項２の発明によれば、前記ロールバーを起立させて作用姿勢にする際に、ロック手段の係止具が自動的にロールバーの係止部材を係止するように構成したことによって、作業者がロールバーを起立させるだけの単一の作業を行うだけで、当該ロールバーを起立させた作用姿勢に自動的に固定することができるので作業性に優れる。
【発明を実施するための最良の形態】
【０００６】
以下、本発明の実施形態を図面に基づいて説明する。図１は、作業車両の一例である農業用トラクタ１の側面図であって、農業用トラクタ１は、左右一対の前輪２及び後輪３を有する機体４にエンジン５をボンネット６で覆った状態で搭載すると共に、その後方にステアリングホイール７及び座席８等からなる操縦部９を設け、更に座席８の後方位置に、機体４から上方に突出する正面視で門型状の安全フレーム１０を立設している。
【０００７】
そして、安全フレーム１０は、図２に示すように、角パイプ材を逆Ｕ字状に屈曲成形したロールバー１１からなり、その基部（下端）１１ａ，１１ａを機体４に設けた左右一対のホルダ１２Ｌ，１２Ｒに支持している。このホルダ１２Ｌ，１２Ｒは、左右のリヤアクスルケース１３Ｌ，１３Ｒに螺設した取付ブラケット１４Ｌ，１４Ｒと、油圧ハウジングケース１５に螺設した取付ブラケット１６に、カラー１７及び防振ゴム１８,１８を介して支持した下部フレーム１９の上部に一体形成されている。
【０００８】
また、上述したホルダ１２Ｌ，１２Ｒは、図３及び図４に示すように、平面視でコの字状の断面形状を有し、このホルダ１２Ｌ，１２Ｒに、平面視でコの字状の断面形状に形成したプレートからなるロールバー１１の基部１１ａ，１１ａを装着（外嵌）した状態で、当該ロールバー１１を支点ボルト２１とナット２２を用いて取付けることができるようになっている。
【０００９】
更に詳しくは、ホルダ１２Ｌ，１２Ｒの後側（開口側）下部に、ロールバー１１の回動支点Ｐとなる支点ボルト２１を挿通するボス２３を固設すると共に、このボス２３に対応するロールバー１１の基部１１ａの後側（開口側）下部に、支点ボルト２１の左右の貫通孔Ｈ１，Ｈ１を設け、両貫通孔Ｈ１，Ｈ１とボス２３の内径を一致させた状態で前記支点ボルト２１を挿通してナット２２を用いて締結することにより、当該ホルダ１２Ｌ，１２Ｒにロールバー１１を機体後方側へ倒伏自在に支持している。
【００１０】
そして、本発明の安全フレーム１０は、門型状のロールバー１１を起立させた作用姿勢に固定するためのロック手段３１を備えており、以下このロック手段３１について説明する。
【００１１】
上述したホルダ１２Ｌ，１２Ｒの後側下部は、図４及び図５（ａ），（ｂ）に示すように、ボス２３を中心とする側面視で半径Ｒの外形形状を有している。また、ロールバー１１の基部１１ａ，１１ａの略中央には、ロック手段３１を構成する棒状の係止部材３２を固設（横設）してあり、この棒状の係止部材３２は、支点ボルト２１を中心としてロールバー１１を回動させると、ホルダ１２Ｌ，１２Ｒの半径Ｒの外形形状沿って回動するようになっている。
【００１２】
一方、ホルダ１２Ｌ，１２Ｒの前側上部には、前記棒状の係止部材３２に係脱自在な鉤形のフック３３ａを備えたプレート状の係止具３３を支持している。この係止具３３は、係止部材３２と共にロック手段３１を構成するもので、その前後方向略中間部に回動支点となるボス３３ｂを固設してあり、該ボス３３ｂの内径とホルダ１２Ｌ，１２Ｒに穿設した貫通孔Ｈ２，Ｈ２とを一致させた状態で支持ピン３４を挿通し、次いで該支持ピン３４の先端にＣ型止め輪３５を装着することによって、当該係止具３３を上下揺動自在に支承している。尚、平面視でコの字状の断面形状を有するホルダ１２Ｌ，１２Ｒとロールバー１１の基部１１ａ，１１ａの前側（非開口側）中央には、上述した係止具３３の装着と上下揺動を許容する縦長の切欠きＳ１，Ｓ２を夫々設けている。
【００１３】
そして、ホルダ１２Ｌ，１２Ｒに上下揺動自在に支承された係止具３３の前端は、当該ホルダ１２Ｌ，１２Ｒに支持されたロールバー１１の基部１１ａ，１１ａの前側から突出すると共に、この係止具３３の前端には、棒状の係止部材３２に係止した鉤形のフック３３ａを解除するために押し込み操作する平板状プレート３３ｃを固設している。
【００１４】
また、係止具３３に備える鉤形のフック３３ａを棒状の係止部材３２に対して常時係止方向に付勢する引張スプリング３６を設けており、この引張スプリング３６の一端を係止具３３に備えるボス３３ｂと平板状プレート３３ｃの略中間部に設けた取付孔Ｈ３に装着すると共に、当該引張スプリング３６の他端をホルダ１２Ｌ，１２Ｒの前側上部に設け取付孔Ｈ４に装着できるようにしてある。
【００１５】
以上説明したように、門型状のロールバー１１を起立させた作用姿勢に固定するロック手段３１を、当該ロールバー１１の基部１１ａ，１１ａに固設した棒状の係止部材３２と、機体側のホルダ１２Ｌ，１２Ｒに支持して棒状の係止部材３２に係脱自在な係止具３３とで構成したことによって、前記棒状の係止部材３２に対する係止具３３の簡単な係脱操作のみで、ロールバー１１を起立させた作用姿勢における固定と当該ロールバー１１を機体後方側へ倒した倒伏（格納）姿勢への姿勢変更が行えるようになる。
【００１６】
即ち、起立した作用姿勢にあるロールバー１１を倒伏させる際は、先ず係止具３３の平板状プレート３３ｃを、図５（ａ）に示すＡ矢印方向（下方）に押し込み操作して、当該係止具３３の鉤形のフック３３ａとロールバー１１の基部１１ａ，１１ａに固設した棒状の係止部材３２との係止を解除し、しかる後にロールバー１１を機体後方側へ徐々に倒伏させればよい。また、図５（ｂ）に示すように、倒伏姿勢あるロールバー１１をＢ矢印に起立させて図５（ａ）に示す作用姿勢にすると、ロールバー１１の基部１１ａ，１１ａに固設した棒状の係止部材３２は、機体側のホルダ１２Ｌ，１２Ｒの端面Ｅと鉤形のフック３３ａによって固定されるようになっている。
【００１７】
したがって、従来のようにロールバー１１の姿勢を変更する度にその固定ピンを抜き差しするといった手間の掛かる作業が不要となり、ロールバー１１を起立させた作用姿勢に固定する際は、ロールバー１１の基部１１ａ，１１ａに固設した棒状の係止部材３２に機体側のホルダホルダ１２Ｌ，１２Ｒに支持した係止具３３を係止させるだけで済むことから作業性が向上する。
【００１８】
更に、倒伏（格納）姿勢状態にあるロールバー１１を図５（ｂ）にＢ矢印で示す如く起立させて作用姿勢にする際に、係止具３３に備える鉤形のフック３３ａが自動的に棒状の係止部材３２に係止するように、この棒状の係止部材３２に当接するフック３３ａの先端側下面には、ホルダ１２Ｌ，１２Ｒの半径Ｒの外形形状沿って上向きに回動する棒状の係止部材３２に対して開き傾斜のガイド面Ｇが設けてあり、それによって作業者がロールバー１１を起立させるだけの単一の作業を行うだけで、当該ロールバー１１を起立させた作用姿勢に自動的に固定することができるので作業性に優れる。
【００１９】
ところで、角パイプ材からなるロールバー１１の外形寸法は、５０ｍｍ×５０ｍｍないし４５ｍｍ×７５ｍｍ角程度のものが広く採用されており、これらのロールバー１１は、作業者にとって把持し辛い外形寸法であることから、作業者が当該ロールバー１１を起立または倒伏させる際に力が入り難く作業性が悪かった。特に、倒伏姿勢にあるロールバー１１を起立させる際の作業性が悪いので、図１及び図２に示すように、門型状のロールバー１１の上部前面側中央に握り易い把手１１ｂを固設すれば、作業者が操縦部９の床面を形成するステップ３７に搭乗した状態で、前記把手１１ｂを持ちながらロールバー１１を容易に起立させることができるようになる。
【図面の簡単な説明】
【００２０】
【図１】農業用トラクタの側面図。
【図２】安全フレームの支持構造を示す要部背面図。
【図３】安全フレームの支持構造を示す要部平断面図。
【図４】安全フレームの支持構造を示す要部斜視図。
【図５】（ａ）ロック手段によるロールバーの固定状態を示す側面図、（ｂ）ロック手段によるロールバーの自動固定作用を示す側面図。
【符号の説明】
【００２１】
１１    ロールバー
１１ａ  ロールバーの基部
１２Ｌ  ホルダ（左側）
１２Ｒ  ホルダ（右側）
３１    ロック手段
３２    係止部材
３３    係止具
Ｐ      回動支点
【図１】
2008189117.tif 000003
【図２】
2008189117.tif 000004
【図３】
2008189117.tif 000005
【図４】
2008189117.tif 000006
【図５】
2008189117.tif 000007